(57)【要約】【課題】コンパクト容器を組み立てる際に大きな力を必要とせずに作業性を向上させる。【解決手段】コンパクト容器Ａは、コンパクトの容器本体１と、容器本体の後方側の端部１ａに蝶着されて開閉可能に構成された蓋体２と、容器本体１の前方側の端部１ｂに配置され蓋体２が閉鎖されたとき該蓋体２に設けたフック８を係止して閉鎖状態を保持させ外部からの開放操作に伴って該フック８との係止を解除して蓋体２を開放する開閉部材３と、開閉部材３をたフック８との係止状態を保持するように付勢する付勢部材４と、を有し、容器本体１の前方側の端部１ｂには開閉部材３を前後方向への移動を許容して収容する収容凹部１５が形成されると共に該収容凹部１５の側面には係合フック１６が形成され、開閉部材３の側面には片持ち梁状に形成され且つ係合フック１６と係合して係止される係止フック１７が形成されている。【選択図】    図２
2008113931.tif 000002
【特許請求の範囲】
【請求項１】
コンパクトの容器本体と、前記容器本体の後方側の端部に蝶着されて該容器本体に対し開閉可能に構成された蓋体と、前記容器本体の前方側の端部に配置され蓋体が閉鎖されたとき該蓋体に設けたフックを係止して閉鎖状態を保持させ外部からの開放操作に伴って該フックとの係止を解除して蓋体を開放する開閉部材と、前記開閉部材を蓋体に設けたフックとの係止状態を保持するように付勢する付勢部材と、を有し、前記容器本体の前方側の端部には前記開閉部材を前後方向への移動を許容して収容する収容凹部が形成されると共に該収容凹部の側面には係合フックが形成され、前記開閉部材の側面には片持ち梁状に形成され且つ先端部分に本体の収容凹部に設けた係合フックと係合して係止される係止フックが形成されていることを特徴とするコンパクト容器。
【発明の詳細な説明】
【技術分野】
【０００１】
本発明は、製造段階に於ける合理化をはかることができるコンパクト容器に関するものである。
【背景技術】
【０００２】
コンパクト容器は、一般的に、化粧料を収容し或いは化粧料を収容した中皿を収容した容器本体と、この容器本体の後方側の端部を支点として蝶着された蓋体とを有し、容器本体と蓋体の前方側の端部に係止部を設けて互いに係止し得るように構成されている。そして、容器本体と蓋体の係止部が互いに係止しているとき、コンパクト容器は閉鎖された状態を維持し、容器本体、或いは蓋体の係止部を操作して互いの係止状態を解除したとき、コンパクト容器は開放されて使用可能状態となる。
【０００３】
容器本体と蓋体との開閉、及び係止機構には種々のものが提案されているが、開閉操作のし易さが求められている。例えば特許文献１に記載された化粧料容器は、本件出願人が開発して提案しているものであり、ブッシュピースの少ない押し込み量で蓋体と容器本体のフック同士の係合を解除し、且つブッシュピースの押し込みによって蓋体のフックに係合解除方向に押し出す補助力を発生させるようにしたものである。
【０００４】
この技術では、ブッシュピースの押し込み方向と押し込み量は、該ブッシュピースの両側面に突設した突起と、容器本体に設けた凹所の両側に形成された前後方向に延びる係合凹部と、の寸法関係によって設定されている。そしてブッシュピースを凹所に押し込んで突起を係合凹部に嵌合させることで、ブッシュピースが容器本体に一体化して構成されている。
【０００５】
【特許文献１】特開平１０−１１３２１９号公報
【発明の開示】
【発明が解決しようとする課題】
【０００６】
特許文献１の技術では、蓋体の開閉を円滑に行うことが可能となり有利である。しかし、ブッシュピースの動きを規制する機構が、容器本体の凹所に設けた係合凹部とブッシュピースに設けた突起との嵌合によるため、化粧料容器を製造する際にブッシュピースを容器本体に嵌め込むとき、突起が係合凹部に嵌合するまでの間凹所の両側面と摩擦接触することとなり、大きな力が必要となるという問題がある。
【０００７】
本発明の目的は、コンパクト容器を組み立てる際に大きな力を必要とせず、従って、作業性の良い組み立てを実現することができるコンパクト容器を提供することにある。
【課題を解決するための手段】
【０００８】
上記課題を解決するために本発明に係るコンパクト容器は、コンパクトの容器本体と、前記容器本体の後方側の端部に蝶着されて該容器本体に対し開閉可能に構成された蓋体と、前記容器本体の前方側の端部に配置され蓋体が閉鎖されたとき該蓋体に設けたフックを係止して閉鎖状態を保持させ外部からの開放操作に伴って該フックとの係止を解除して蓋体を開放する開閉部材と、前記開閉部材を蓋体に設けたフックとの係止状態を保持するように付勢する付勢部材と、を有し、前記容器本体の前方側の端部には前記開閉部材を前後方向への移動を許容して収容する収容凹部が形成されると共に該収容凹部の側面には係合フックが形成され、前記開閉部材の側面には片持ち梁状に形成され且つ先端部分に本体の収容凹部に設けた係合フックと係合して係止される係止フックが形成されているものである。
【発明の効果】
【０００９】
本発明に係るコンパクト容器では、容器本体の前方側の端部に設けた収容凹部に対し、開閉部材を前後方向への移動を許容した状態で収容すると共に該開閉部材を付勢部材によって閉鎖方向に付勢することで、蓋体を閉鎖したとき、該蓋体に設けたフックを開閉部材によって係止して閉鎖することができ、且つ付勢部材による開閉部材への付勢によって閉鎖状態を維持することができる。そして、付勢部材による付勢に対抗して開閉部材をフックに対する係止を解除する方向に操作することで、フックに対する係止を解除して蓋体を開放することができる。
【００１０】
開閉部材の側面に片持ち梁状の係止フックが形成されているため、開閉部材を容器本体の収容凹部に収容して該収容凹部の側面に設けた係合フックと係合させる場合、開閉部材を収容凹部に押し込む際に片持ち梁状の係止フックが収容凹部の側面と接触して撓みが生じる。このため、係止フックによる収容凹部へ押圧力が小さくなり、小さい力で開閉部材を収容凹部に収容する作業を行うことができる。即ち、開閉部材を容器本体に対して嵌め易くすることができる。
【００１１】
従って、容器本体に開閉部材を収容する組み立て工程に於ける作業性を向上させることができ、大きな力を作用させることがないため、部品が壊れたりすることがない。
【発明を実施するための最良の形態】
【００１２】
以下、本発明に係るコンパクト容器の最も好ましい実施の形態について説明する。本発明に係るコンパクト容器は、蓋体の容器本体に対する閉鎖を確実に行うことが可能で、且つ容易な操作で開放し得るようにしたものであり、特に、コンパクト容器を製造する際の組立工程に於ける作業性を向上させることを実現したものである。
【００１３】
また開閉部材が容器本体に対し前後方向への移動が許容された状態で収容凹部に収容され、付勢部材によって蓋体に設けたフックと係合する方向（前方向）に付勢されることによって蓋体の確実な閉鎖を実現し、付勢部材の付勢に抗して閉鎖部材をフックとの係合を解除する方向（後方向）に移動させることで蓋体の容易な開放を実現することが可能である。
【００１４】
特に、容器本体の収容凹部に収容された開閉部材が付勢部材を含む周辺構造のカバーとしての機能を有することで、容器本体の前方側の端部周辺のデザインを単純化させることを実現してコンパクト容器の高級感を発揮させることが可能である。
【実施例１】
【００１５】
以下、コンパクト容器の好ましい実施例について図を用いて説明する。図１はコンパクト容器の全体構成を説明する断面図である。図２は容器本体と開閉部材との関係を説明する展開図である。図３は容器本体の収容凹部に収容された開閉部材を説明する要部の拡大説明図である。
【００１６】
図に示すコンパクト容器Ａは、容器本体１と、容器本体１の後方側の端部１ａ（図１に於ける右側の端部）に蝶着された蓋体２と、容器本体１の前方側の端部１ｂ（図１に於ける左側の端部）に配置された開閉部材３と、開閉部材３を前方側に付勢する付勢部材４と、を有して構成されている。また容器本体１の内部平面には凹部１ｃが形成されており、この凹部１ｃに化粧料を収容した中皿５が収納されている。
【００１７】
容器本体１の後方側の端部には蓋体２の後方側の端部と共にヒンジ部６が構成されている。このヒンジ部６は、容器本体１の後方側の端部１ａに形成された凹部６ａと、蓋体２の後方側の端部２ａに形成されたヒンジ突起６ｂと、両端が容器本体１に支持されると共に蓋体２のヒンジ突起６ｂに配置された回動軸６ｃとによって構成されている。
【００１８】
ヒンジ部６を上記の如く構成することによって、容器本体１の後方側の端部１ａに蓋体２の後方側の端部２ａが蝶着され、回動軸６ｃを中心として回動して開閉することが可能となる。
【００１９】
尚、図に於ける７は付勢部材であり、弾性を持ったゴムや比較的軟質の合成樹脂によって構成されており、容器本体１の後方側の端部１ａに形成された凹部６ａに対応する部位に接着或いは嵌め込まれている。そして、蓋体２を閉鎖したとき、該蓋体２に形成したヒンジ突起６ｂの回動軸６ｃから変位した位置に設けた付勢突起７ａが接触することで、該付勢突起７ａを介して蓋体２に対し常に開放する方向に付勢し得るように構成されている。
【００２０】
蓋体２の前方側の端部２ｂにはフック８が設けられている。このフック８は開閉部材３の上面に設けたフック９と係合して蓋体２の容器本体１に対する閉鎖状態を維持するためのものである。蓋体２に於けるフック８の設置位置は特に限定するものではなく、開閉部材３の設置位置との関係で適宜設定することが好ましい。本実施例では、フック８は、蓋体２の略中央（コンパクト容器Ａの略中央）に設けられている。
【００２１】
また１０は、蓋体２の容器本体１と対向する面に配置された鏡である。
【００２２】
中皿５は容器本体１に設けた凹部１ｃに対し固着されており、前方側の縁部５ａ、特に後述する容器本体１の前方側の端部１ｂに設けた収容凹部１５に対向する部位の縁部５ａは、容器本体１の凹部１ｃから前方側に突出して収容凹部１５を覆うことが可能なように形成されている。尚、中皿５に形成される縁部５ａの形状や寸法等はコンパクト容器Ａのデザインに対応して最適な条件で設定される。
【００２３】
容器本体１の前方側の端部で且つ略中央に収容凹部１５が形成されている。この収容凹部１５は開閉部材３を容器本体１の前後方向への移動を許容して収容するものであり、開閉部材３を円滑に移動させるように収容することが可能で、且つ収容したときに開閉部材３との間に大きな隙間が生じることのないような寸法を持って形成されている。
【００２４】
収容凹部１５には、両側面に夫々係合フック１６が形成されており、下面には容器本体１の底面と連続するガイド片１５ａが形成され、更に、ガイド片１５ａから所定距離（開閉部材３に設けたガイド部の厚さと略等しいか僅かに大きい寸法）離隔した位置に複数のガイド突起１５ｂが形成されている。またガイド突起１５ｂよりも上部の所定位置には付勢部材４を位置決めして保持する突起１５ｃが形成されている。
【００２５】
係合フック１６は、収容凹部１５の側面から突出した基部１６ａと、基部１６ａから更に突出して形成された爪部１６ｂと、を有して構成されており、基部１６ａと爪部１５ｂとのなす角度は直角又は僅かに鋭角に形成されている。また係合フック１６は、開閉部材３の高さ方向の寸法の略中央に対応する位置に形成されている。
【００２６】
開閉部材３は容器本体１に設けた収容凹部１５の幅方向の寸法と略等しいか僅かに小さい幅寸法を有し、該収容凹部１５に収容されたとき、フック９が蓋体２の前方側の端部２ｂに設けたフック８と対向し得るように構成されている。
【００２７】
開閉部材３は、フック９を設けた上片３ａと、前片３ｂと、下片３ｃと、を有する側面視がコ字状に形成されている。また、開閉部材３の幅方向の両側には上片３ａと下片３ｃを接続して側片３ｄが形成されており、該側片３ｄの所定位置に一対のスリット３ｅが形成され、これにより、片持ち梁状の係止フック１７が形成されている。
【００２８】
開閉部材３を構成する上片３ａと前片３ｂ及び下片３ｃは、コンパクト容器Ａのデザインを規定する化粧面として構成されており、コンパクト容器Ａに求められるデザインに対応した意匠を持って形成される。
【００２９】
特に、下片３ｃは、容器本体１に設けた収容凹部１５を構成するガイド片１５ａとガイド突起１５ｂの間に差し込まれて移動方向をガイドされるガイド部としての機能を有するものである。即ち、開閉部材３が収容凹部１５に収容されたとき、下片３ｃはガイド片１５ａの上面に沿って前後方向に移動し得るように配置されると共に該下片３ｃの上面がガイド突起１５ｂの下方に位置することで、開閉部材３に対し図１に於ける反時計方向への回動力が作用したとき、この回動はガイド突起１５ｂによって阻止される。従って、開閉部材３は容器本体１に対し前後方向への移動のみが許容される。
【００３０】
係止フック１７は、梁部１７ａと、梁部１７ａの先端に形成された爪部１７ｂとによって構成されている。梁部１７ａと爪部１７ｂとのなす角度は直角か僅かに鋭角となるように形成されている。また梁部１７ａの長さは特に限定するものではないが、開閉部材３を容器本体１の収容凹部１５に収容する際に、爪部１７ｂが係合フック１６の爪部１６ｂと接触したとき、比較的小さい力で爪部１７ｂが詰め部１６ｂを乗り越えられる程度の充分な撓みを生じ得るような長さと断面寸法を有することが好ましい。
【００３１】
開閉部材３の前片３ｂから係止フック１７の爪部１７ｂまでの寸法は、該爪部１７ｂが収容凹部１５の係合フック１６の爪部１６ｂに当接して係合したとき、前片３ｂが容器本体１の前方側の端部１ｂの表面と同一面に位置し得るように設定されている。また下片３ｃの長さは、開閉部材３が前記位置にあるとき、下片３ｃの端部とガイド片１５ａの奥行き方向との間に充分な間隙１８を形成し得るように設定されている。
【００３２】
開閉部材３を容器本体１の前方側の端部１ｂに設けた収容凹部１５に収容するのに先立って、突起１５ｃに付勢部材４が装着される。この付勢部材４は、収容凹部１５に配置されて開閉部材３に設けたフック９を蓋体２に設けたフック８に係止した状態を保持し得るように付勢するものである。本実施例では、付勢部材４は、開閉部材３を前方側に付勢し得るように構成されている。
【００３３】
付勢部材４としては上記機能を発揮し得るものであれば良く、例えば押しバネやコイルバネ、皿バネ等を選択的に採用することが可能である。また必ずしも金属製のバネである必要はなく、ゴム或いは合成樹脂製等の充分な弾性を有するチューブであっても用いることが可能である。本実施例では、付勢部材４として合成樹脂製のチューブを利用している。
【００３４】
次に、容器本体１の前方側の端部１ｂに設けた収容凹部１５に開閉部材３を収容する際の手順について説明する。先ず、収容凹部１５の突起１５ｃに付勢部材４を取り付けておき、前方側から開閉部材３を押し込む。開閉部材３の収容凹部１５に対する押し込みに伴って、開閉部材３に設けた係止フック１７の爪部１７ｂが収容凹部１５に設けた係合フック１６の爪部１６ｂと接触し、この接触により、係止フック１７の梁部１７ａに撓みが生じて爪部１７ｂが爪部１６ｂを乗り越えることで収容される。
【００３５】
上記の如くして係止フック１７の爪部１７ｂが係合フック１６の爪部１６ｂを乗り越えると、開閉部材３の下片３ｃはガイド片１５ａとガイド突起１５ｂとの間に挟まれるように差し込まれ、両片１５ａ、１５ｂによって開閉部材３を容器本体１の前後方向にのみ移動するようにガイドすることが可能となる。
【００３６】
開閉部材３を容器本体１の収容凹部１５に収容した後、通常の工程を経てコンパクト容器Ａを組み立てることが可能である。
【００３７】
組み立てられたコンパクト容器Ａでは、容器本体１の収容凹部１５は開閉部材３の上片３ａ、前片３ｂ、下片３ｃによって覆われ、且つ上片３ａの上部には中皿５の縁部５ａが配置される。このため、収容凹部１５を構成するガイド片１５ａや配置された付勢部材４は外部から視認されることがなく、意匠性を確保することが可能である。
【００３８】
上記の如く構成されたコンパクト容器Ａでは、蓋体２を容器本体１に接近させて閉鎖したとき、該蓋体２に設けたフック８が開閉部材３に設けたフック９と係合して閉鎖状態を保持することが可能である。そして、付勢部材４によって開閉部材３（フック９）が前方側に付勢されることで、フック９のフック８に対する係合を確実に行うことが可能である。
【００３９】
また使用に際しては、開閉部材３を後方側（図１に示す矢印方向）に押し込むことで該開閉部材３を付勢部材４の付勢力に抗して移動させ、これにより、フック９のフック８に対する係合を解除して開放することが可能である。
【００４０】
尚、本実施例では、容器本体１に設けた収容凹部１５の両側面に夫々係合フック１６を設けると共に開閉部材３にも夫々の係合フック１６を係止する係止フック１７を設けたが、係合フック１６、係止フック１７は、必ずしも二つ必要ではなく、何れか一方の側面に形成しておけば良い。
【産業上の利用可能性】
【００４１】
本発明に係るコンパクト容器Ａは、組立時の作業性を向上させることが可能であり、且つ蓋体２の開閉を行う機構部分が外部から視認されることがないので、意匠性を確保したコンパクト容器Ａとして利用して有利である。
【図面の簡単な説明】
【００４２】
【図１】コンパクト容器の全体構成を説明する断面図である。
【図２】容器本体と開閉部材との関係を説明する展開図である。
【図３】容器本体の収容凹部に収容された開閉部材を説明する要部の拡大説明図である。
【符号の説明】
【００４３】
Ａ                      コンパクト容器
１                      容器本体
１ａ                    後方側の端部
１ｂ                    前方側の端部
１ｃ                    凹部
２                      蓋体
２ａ                    後方側の端部
２ｂ                    前方側の端部
３                      開閉部材
３ａ                    上片
３ｂ                    前片
３ｃ                    下片
３ｄ                    側片
３ｅ                    スリット
４                      付勢部材
５                      中皿
５ａ                    縁部
６                      ヒンジ部
６ａ                    凹部
６ｂ                    ヒンジ突起
６ｃ                    回動軸
７                      付勢部材
７ａ                    付勢突起
８、９                  フック
１０                    鏡
１５                    収容凹部
１５ａ                  ガイド片
１５ｂ                  ガイド突起
１５ｃ                  突起
１６                    係合フック
１６ａ                  基部
１６ｂ                  爪部
１７                    係止フック
１７ａ                  梁部
１７ｂ                  爪部
【図１】
2008113931.tif 000003
【図２】
2008113931.tif 000004
【図３】
2008113931.tif 000005